(57)【特許請求の範囲】
【請求項１】
取り囲まれた建築物内部を画定する建築物であって、前記建築物内のガスのシールされた移動のための建築物入口導管と、蓄熱体にガスを排気するための建築物出口導管と、を有する建築物と、
サーバラックスタンドであって、内部穴を画定する横支持部材と、前記建築物入口導管と流体連通にある空気流入口通路と、前記建築物出口導管と流体連通にある空気流出口通路と、を備えるサーバラックスタンドと、
前記サーバラックスタンドの横支持部材の間に剥離可能に貼り付けるように構成された実質的にシールされたコンピュータであって、前記空気流入口通路および前記空気流出口通路のそれぞれに近接する、前記貼り付けられた際に配置される寸法で形成された空気流入口開口および空気流出口開口を画定するケースを有する、コンピュータと、
前記空気流入口開口および前記空気流入口通路の間、および前記空気流出口開口および前記空気流出口通路の間のシールされた連結を形成するサーバ導管と、
前記建築物入口導管から前記蓄熱体に空気を促す空気流源と、を備えることを特徴とするサーバ設備。
【請求項２】
前記サーバラックスタンドが、前記内部穴および一対の周囲柱を画定するパネルと、前記周囲柱の間に取り外し可能に配置され、前記空気流出口開口および前記内部穴の側壁を画定する、少なくとも１つのカートリッジと、を含むことを特徴とする請求項１に記載の設備。
【請求項３】
前記サーバラックスタンドが、前記周囲柱内に、前記建築物入口導管および前記内部穴と流体連通する、中空室を画定する横柱を含むことを特徴とする請求項２に記載の設備。
【請求項４】
前記サーバラックスタンドが、複数の前記カートリッジで構成される前記内部穴の前記側壁を含むことを特徴とする請求項２に記載の設備。
【請求項５】
前記カートリッジが、前記内部穴から前記ケース内への空気流を妨害するように構成される、選択的に作動する障害物を含むことを特徴とする請求項２に記載の設備。
【請求項６】
前記コンピュータを前記カートリッジに貼り付けるスタンドレールをさらに備え、前記スタンドレールは、レール通路を含んでおり、レール通路は、（ｉ）前記ケースの空気流出口開口および前記ケースの空気流出口開口の少なくとも１つ、および（ｉｉ）前記空気流入口通路および前記空気流出口通路の少なくとも１つ、の両方に相当することを特徴とする請求項５に記載の設備。
【請求項７】
前記障害物と電気通信にある温度センサをさらに備え、前記温度センサに基づき前記障害物を作動することを特徴とする請求項５に記載の設備。
【請求項８】
前記サーバラックスタンドは、複数の実質的にシールされたコンピュータを支持し、各々の前記コンピュータは、前記サーバラックスタンドの横支持部材の間に剥離可能に貼り付けるように構成され、前記空気流入口通路および前記空気流出口通路のそれぞれに近接する前記貼り付ける際に配置される寸法で形成される、前記空気流入口開口および前記空気流出口開口を画定する前記ケースを有することを特徴とする請求項７に記載の設備。
【請求項９】
前記蓄熱体が、前記空気流源と流体連通にあることを特徴とする請求項１に記載の設備。
【請求項１０】
前記空気流源が、冷却源と流体連通にあることを特徴とする請求項９に記載の設備。
【請求項１１】
前記蓄熱体が、前記建築物の外部に加熱ガスを発散するための建築物排気と流体連通にあることを特徴とする請求項１に記載の設備。
【請求項１２】
コンピュータ機器を冷却するプロセスであって、
コンピュータを収容する建築物内に空気流源から空気を促すことと、
シールされた建築物導管内の空気流を中空サーバスタンド部の流入室内に送気することであって、前記中空サーバスタンド部が前記コンピュータの少なくとも１つを支持する、送気することと、
前記流入室から、サーバ導管を通り、前記コンピュータのシールされたケースの中に空気流を向けることと、
前記コンピュータのケースから、前記建築物導管を通り、前記中空サーバスタンド部の外部の蓄熱体に空気流を移動させることと、を備えることを特徴とするプロセス。
【請求項１３】
前記コンピュータのケースから前記中空サーバスタンド部の外出室の中に空気流を運ぶステップと、前記外出室から前記蓄熱体に空気流を向けることを含む向けるステップと、をさらに備えることを特徴とする請求項１２に記載のプロセス。
【請求項１４】
前記コンピュータのケースから追加の中空サーバスタンド部の外出室の中に空気流を運ぶステップと、前記外出室から前記蓄熱体に空気流を向けることを含む向けるステップと、をさらに備えることを特徴とする請求項１３に記載のプロセス。
【請求項１５】
複数のスタンドカートリッジから前記外出室を製造するステップをさらに備え、各々の前記複数のスタンドカートリッジが前記サーバ導管および前記流入室の側壁の両方を構成することを特徴とする請求項１４に記載のプロセス。
【請求項１６】
複数のスタンドカートリッジから前記流入室を組み立てるステップをさらに備え、各々の前記複数のスタンドカートリッジが前記流入室の側壁および前記サーバ導管の両方を構成することを特徴とする請求項１４に記載のプロセス。 
【請求項１７】
さらに、前記向けるステップが、前記流入室から前記サーバ導管を選択的に塞ぐ妨害物を作動させることによって前記コンピュータの前記シールされたケースの中に空気流を向けることを含むことを特徴とする請求項１２に記載のプロセス。
【請求項１８】
前記移動させるステップが、前記コンピュータのケースから、前記建築物導管を通り、前記空気流源と流体連通にある蓄熱体に空気流を移動させることを含むことを特徴とする請求項１２に記載のプロセス。
【請求項１９】
前記移動させるステップが、前記コンピュータのケースから、前記建築物導管を通り、前記建築物の外部に加熱ガスの発散のため、前記建築物の外部と流体連通にある蓄熱体に空気流を移動させることを含むことを特徴とする請求項１２に記載のプロセス。
【請求項２０】
柱高さを有し、中央支持穴を画定する、垂直支持柱であって、実質的にシールされた内部空隙と、前記中央支持穴の方向に配向された第１開口、および第２開口を画定する表面と、を含む、前記垂直支持柱と、
前記第２開口と流体連通にある空気流導管と、
少なくとも１つのカートリッジであって、前記柱高さの半分未満のカートリッジ高さを有し、前記垂直支持柱に密閉貼り付けするように、かつ前記垂直支持柱の間に密閉貼り付けするように構成され、前記第１開口、および前記中央支持穴の周囲境界を画定する、そこへのコンピュータの横貼り付けを支持するように構成される、カートリッジと、を備えることを特徴とするサーバラックスタンド部。
【請求項２１】
前記サーバラックスタンド部が、前記中央支持穴および一対の周囲柱を画定するパネルを含み、前記カートリッジが、前記周囲柱、前記第１開口を画定する前記カートリッジおよび前記中央支持穴の側壁の間に取り外し可能に配置されるように構成される、ことを特徴とする請求項２０に記載のサーバラックスタンド部。
【請求項２２】
前記中央支持穴をつなぐ複数のカートリッジを備え、前記中央支持穴をシールすることを特徴とする請求項２１に記載のサーバラックスタンド部。
【請求項２３】
シールされた横表面を有する前記カートリッジと寸法的に等しい複数のブランクを備えることを特徴とする請求項２２に記載のサーバラックスタンド部。
【請求項２４】
前記中央支持穴が、複数のカートリッジによって実質的にシールされ、前記第２開口から前記第１開口への空気流の通路のためのガス流入室を与えることを特徴とする請求項２０に記載のサーバラックスタンド部。
【請求項２５】
前記垂直支持柱が、追加の中央支持穴をさらに画定し、前記表面が、前記追加の中央支持穴の方向に配向された第３開口および第４開口を画定し、前記追加の中央支持穴が、複数のカートリッジによって実質的にシールされ、前記第３開口から前記第４開口への空気流の通路のためのガス外出室を与えることを特徴とする請求項２４に記載のサーバラックスタンド部。
【請求項２６】
柱高さを有し、追加の中央支持穴を画定する、追加の垂直支持柱であって、実質的にシールされた内部追加空隙と、前記追加の中央支持穴の方向に配向された第３開口および第４開口を画定する表面と、を含む、追加の垂直支持柱をさらに備え、
前記追加の中央支持穴が、複数のカートリッジによって実質的にシールされ、前記第３開口から前記第４開口への空気流の通路のためのガス外出室を与えることを特徴とする請求項２４に記載のサーバラックスタンド部を備えるサーバラックスタンド。
【発明の詳細な説明】
【技術分野】
【０００１】
本開示は、コンピュータサーバラック、特に、放熱のために、サーバおよび他のネットワークデバイスのような電気機器に空気の流れを効率的に向けるように使用され得る、コンピュータサーバラックのシステムに関する。
【背景技術】
【０００２】
既存のラックマウントサーバのシステムは、サーバラック、およびサーバラックに受容される複数のサーバユニットを含んでいる。一般に、各々のサーバユニットは、サーバラックの対向する側壁の内側表面にそれぞれ固定された、一対の取り付け金具または取り付けレールで、サーバラックに載置される。空気または他の流体を電気機器に向け、放熱を助ける数多くの取り組みがある。
【発明の概要】
【０００３】
発明に係るサーバラックは、デバイスのフロントサイドおよびリアサイドの上の中空管状支柱を含むフレームを含んでいる。フロント柱およびリア柱の間は、前方サイドパネルおよび後方サイドパネルである。パネルは、バルブ部材を有する補足のカートリッジを受容し、リア空隙から、カートリッジの中の通路を通り、レールを通り、およびサーバの中に空気の流れを制御する。受容サーバ用の複数のサイドレールは、フロント柱およびリア柱に取り付けられる。レールは、サーバの側壁上に設けられた通路と一致する側壁を通る通路を有する。
【０００４】
好ましい実施形態において、空気調節された空気は、上側および下側表面の上に設けられた通路を通り前方サイドパネルに導入される。次に、空気は、前方パネルから、カートリッジ部材を通り設けられた１つ以上の通路を通り、それから、サーバの横の側壁上に設けられた通路を通りサーバのフロント部分の中に進む。空気は、サーバのフロント部分からリア部分にサーバを通り進み、それから横の側壁の中の通路を通り、リアパネル中に設けられたカートリッジに出て行く。次に、空気は、再循環のため、空気調節装置ユニットに戻される。
【０００５】
実施形態において、サーバラックは、およそ６フィートの高さであり、および４．４４５ｃｍ（１．７５インチ）増加の４２サーバユニットを収容するように設計されている。レール部材は、サイドパネル上の各ユニット部分に設けられ、かつサーバを支持する。さらに後述される実施形態において、カートリッジを通る通路は、個々に、電気機械的または手動で制御され得る少なくとも１つのバルブ部材を有する。サーバが特定のラックユニットに設けられないとき、または、温度が特有のサーバユニットにおいて別の方法で適切に制御されるとき、アパーチャは閉鎖され得る。実施形態において、コントローラは、温度計からの信号に応じて、カートリッジに設けたバルブ部材を自動で開閉する。
【０００６】
そのように、バルブまたは通路が、サーバのための冷却ニーズに応じ、各サーバのために可変的に開閉され得ることは理解されるべきである。さらに、本願明細書で述べられるように、アパーチャを通る空気の流れの程度は、ダンパーまたは堰装置を使用して制御され得る。したがって、実施形態において、ローカルコントローラは、提供され、およびサーバの温度を読む温度計からの入力情報を受け取り得、したがって、開口バルブおよび閉鎖バルブのアパーチャを調節し得る。代替的に、ダンパーは、手動で調節され得る。また、さらなる実施形態において、中央コントローラは、複数のサーバラックから信号を受け取る。
【０００７】
柱上の各々の開口は、剥離性シールを設けられ、サーバの特有の配置に応じて流れを妨げる。実施形態において、可撓性マニホールドが柱から延び、サーバに設けられたアクセス領域に、およびアクセス領域から、流体を向ける。好ましい実施形態は空気の流れの使用を考えると同時に、実施形態において、フレームは液体を受容するように構成され、および、柱およびマニホールドは流体を各々のサーバにかみ合わされた熱交換要素に向ける。
【０００８】
さらなる実施形態において、ラックは、液体の流れ、および空気の流れの両方を許すように構成される。
【０００９】
本願明細書の開示は、サーバ設備であり、取り囲まれた建築物内部を画定し、および前記建築物内にシールされたガスの移動のための建築物入口導管および蓄熱体にガスを排気するための出口導管を有する建築物と、前記建築物入口導管と流体連通している、内部穴および空気流入口通路を画定する横支持部材、および前記建築物出口導管と流体連通している、空気流出口通路を備えるサーバラックスタンドと、前記サーバラックスタンドの横支持部材の間に剥離可能に貼り付けるように構成され、前記空気流入口通路および前記空気流出口通路のそれぞれに近接する、前記貼り付けられた際に配置される寸法で形成された、空気流入口開口および空気流出口開口を画定するケースを有する、実質的にシールされたコンピュータと、前記空気流入口開口と前記空気入口通路の間、および前記空気流開口出口と前記空気流出口通路の間のシールされた連結を形成するサーバ導管と、前記建築物入口導管から前記蓄熱体に空気を促すための空気流源と、を備え、および、前記サーバラックスタンドは、前記内部穴および一対の周囲柱を画定するパネルと、前記横柱の間に除去可能に配置され、前記空気流出口および前記サーバラック穴の側壁を画定する、少なくとも１つのカートリッジと、を含んでいる。
【００１０】
一実施形態において、サーバラックスタンドは、前記柱内に、前記建築物入口導管および前記スタンド内部穴と流体連通する、中空室を画定する横柱を含んでいる。別の実施形態において、前記スタンドは、複数の前記カートリッジで構成される前記穴側面を含んでいる。さらに別の実施形態において、前記カートリッジは、前記スタンド穴から前記ケース内に空気流を妨害するように構成される選択的に作動する障害物を含んでいる。
【００１１】
設備は、また、前記コンピュータを前記カートリッジに貼り付けているスタンドレールを備えており、前記スタンドレールは、レール通路を含んでおり、レール通路は、（ｉ）前記ケースの空気流出口開口および前記ケースの空気流出口開口の少なくとも１つ、および（ｉｉ）前記空気流入口通路および前記空気流出口通路の少なくとも１つの両方に相当する。
【００１２】
設備は、また、前記障害物と電気通信にある温度センサを備え得、および前記温度に基づき、前記障害物を作動する。
【００１３】
一実施形態において、前記ラックスタンドは、複数の実質的なシールされたコンピュータを支持し、各々の前記コンピュータは、前記サーバラックスタンドの横支持部材の間に剥離可能に貼り付けるように構成され、前記空気流入口通路および前記空気流出口通路のそれぞれに近接する、前記貼り付けられた際に配置される寸法で形成される、前記空気流入口開口および前記空気流出口開口を画定する前記ケースを有する。
【００１４】
一実施形態において、蓄熱体は前記空気流源と流体連通にある。別の実施形態において、空気流源は冷熱源と流体連通にある。さらに別の実施形態において、蓄熱体は前記建築物の外部に加熱ガスを発散するための建築物排気と流体連通にある。
【００１５】
また、コンピュータ機器を冷却するための方法が開示されており、前記プロセスは、空気流源からコンピュータを収納する建築物内に空気を促すこと、中空サーバスタンド部分の流入室の中にシールされた建築物導管内の空気流を送気することであって、前記スタンドが前記コンピュータの少なくとも１つを支持する、送気すること、サーバ導管を通る前記スタンド室から前記コンピュータのシールされたケースの中に空気流を向けること、および、前記建築物導管を通る前記コンピュータケースから前記スタンド部の外部の蓄熱体に空気流を移動させることを備えている。一実施形態において、本願明細書に開示されるコンピュータ機器を冷却するための方法は、前記コンピュータケースから前記中空サーバスタンド部の外出室の中に空気流を運ぶステップ、および前記外出室から前記蓄熱体に空気流を向けることを含む向けるステップをさらに備えている。別の実施形態において、本願明細書に開示されるコンピュータ機器を冷却するための方法は、前記コンピュータケースから追加の中空サーバスタンド部の外出室の中に空気流を運ぶステップ、および前記外出室から前記蓄熱体に空気流を向けることを含む向けるステップをさらに含んでいる。
【００１６】
一実施形態において、本願明細書に開示されるコンピュータ機器を冷却するための方法は、複数のスタンドカートリッジから前記外出室を製造するステップであって、各々の前記カートリッジが前記サーバ導管および前記流入室の側壁の両方を構成する、ステップ、および、複数のスタンドカートリッジから前記流入室を構成するステップであって、各々の前記カートリッジが前記流入室の側壁および前記サーバ導管の両方を構成する、ステップ、をさらに備える。
【００１７】
一実施形態において、前記向けるステップは、前記サーバ導管を選択的に塞ぐ妨害物を作動させることによって前記スタンド室から前記コンピュータの前記シールされたケースの中に空気流を向けることを含んでおり、前記移動させるステップは、前記コンピュータケースから、前記建築物導管を通り、前記空気源と流体連通にある蓄熱体に空気流を移動させることを含み、および前記移動させるステップは、前記コンピュータケースから、前記建築物導管を通り、前記建築物の外部に加熱ガスの発散のため前記建築物の外部と流体連通にある蓄熱体に空気流を移動させることを含んでいる。
【００１８】
また、サーバラックスタンド部が開示されており、サーバラックスタンド部は、柱高さを有し、および中央支持穴を画定する垂直柱であって、実質的にシールされた内部空隙、および前記穴の方向に配向された第１開口および第２開口を画定する表面を含む、垂直柱と、前記第２開口と流体連通にある空気流導管と、および、前記柱高さの半分未満のカートリッジ高さを有し、および前記柱に密封貼り付けし、かつ前記柱の間に密封貼り付けするように構成され、および前記第１開口および前記穴の周囲境界を画定する、それにコンピュータの横貼り付けを支持するように構成された、少なくとも１つのカートリッジと、を備え、および前記サーバラックスタンド部は、前記内部穴および一対の周囲柱を画定するパネルを含み、および、前記カートリッジは前記横柱の間に取り外し可能に配置されるように構成され、前記カートリッジは前記第１開口および前記支持穴の側壁を画定する。
【００１９】
一実施形態において、スタンド部は、前記中央支持穴をつなぐ複数のカートリッジを備え、前記中央支持穴をシールする。別の実施形態において、スタンド部は、シールされた横表面を有する前記カートリッジと寸法的に等しい複数のブランクを備える。さらに別の実施形態において、支持穴は、複数のカートリッジによって実質的にシールされ、前記第２開口から前記第１開口への空気流の通路のためのガス流入室を与える。
【００２０】
一実施形態において、支持柱は、追加の中央支持穴をさらに画定し、および前記表面は、前記穴の方向に配向された第３開口および第４開口を画定し、および前記追加の穴は、複数のカートリッジによって実質的にシールされ、前記第３開口から前記第４開口への空気流の通路のためガス外出室を与える。
【００２１】
また、本願明細書に開示されるようなスタンド部を備えるラックスタンドが開示され、およびラックスタンドは、柱高さを有し、および追加の中央支持穴を画定する追加の垂直支持柱であって、実質的にシールされた内部の追加の空隙および前記穴の方向に配向された第３開口および第４開口を画定する表面を含む垂直支持柱を備え、前記追加の支持穴は、複数のカートリッジによって実質的にシールされ、前記第３開口から前記第４開口への空気流の通路のためガス外出室を与える。
【００２２】
発明のこれらの態様は閉鎖的になることを意味しない。さらに、いくつかの特徴は発明の特定の種類に適用され得るが、他にはされない。本発明の他の特徴、態様、および有利な点は、以下の記載および添付の図面と共に読むとき、当業者であれば容易に明らかになるだろう。
【図面の簡単な説明】
【００２３】
【図１】図１は先行技術のラックおよびサイドパネルの斜視図である。
【図２ａ】図２ａは発明の実施形態に係る部分ラック組立体の斜視図である。
【図２ｂ】図２ｂは発明の実施形態に係る部分ラック組立体の２つのサイドパネルの斜視図である。
【図３】図３は発明の実施形態に係る第１のレール組立体、サーバ、および第２のレール組立体の分解斜視図である。
【図４Ａ】図４Ａは発明の実施形態に係る第１のレール組立体、サーバ、および第２のレール組立体の上部分解図である。
【図４Ｂ】図４Ｂは発明の実施形態に係る互いに取り付けられた第１のレール組立体、サーバ、および第２のレール組立体の上部図である。
【図５】図５は発明の実施形態に係る組み立て前の並んでいるサイドパネルおよびサーバの分解斜視図である。
【図６】図６は互いに取り付けられたサイドパネルとサーバの斜視図である。
【図７】図７は発明の実施形態に係るサイドパネルレール、サーバ、および第２のパネルの分解斜視図である。
【図８】図８は組立てられた図７の実施形態に係るサイドパネルレール、サーバ、および第２のパネルの斜視図である。
【図９】図９は組立体の中にスライドするサーバを概略的に示しているサイドパネル、レール、およびサーバを含んでいるラック組立体の斜視図である。
【図１０】図１０は組立体の中にスライドするサーバを概略的に示している、前方および後方のサイドパネルに受容されたカートリッジをさらに含む、サイドパネル、レール、サーバ、および第２のパネルの斜視図である。
【図１１】図１１はデバイス内に固定されたサーバを有する図１０に描かれた実施形態の斜視図である。
【図１２】図１２は前方パネルからサーバに空気の流れの方向の図式表現を含む発明の実施形態の斜視図である。
【図１３】図１３は後方サイドパネルを通るサーバからの空気の流れの方向の図式表現を含む発明の実施形態の斜視図である。
【図１４】図１４は発明の実施形態と関連して使用されるレール組立体の斜視図である。
【図１５】図１５は図１４に示されるレール組立体の上部図である。
【図１６】図１６は図１４に示されるリア部分から延ばされたフロント部分を有するレール組立体の昇降における斜視図である。
【図１７】図１７はリア部から延ばされたフロント部を有するレール組立体の上部図である。
【図１８】図１８はパネルの上部表面を描いている発明の実施形態に係る前方サイドパネルおよび前方柱の斜視図である。
【図１９】図１９はパネルの下部表面を描いている図１８に示された前方サイドパネルおよび前方柱の斜視図である。
【図２０】図２０は図１８に示された前方サイドパネルおよび前方柱の上部図である。
【図２１】図２１はパネルに受容されるカートリッジおよび方法をまた描いている図１８に示された前方サイドパネルおよび前方柱の上部断面図である。
【図２２】図２２はパネルに保持されるカートリッジを有する図１８に示された前方サイドパネルおよび前方柱の上部断面図である。
【図２３】図２３は発明と関連して使用される柱部材の高さにおける前面図である。
【図２４】図２４は発明の実施形態に係る前方サイドパネル、一連のカートリッジ、カバープレート、および前方柱の高さにおける断片図である。
【図２５】図２５はカートリッジの完全補足物を有する前方パネルの高さにおける前方図である。
【図２６】図２６は上部表面を描いている後方サイドパネルの斜視図である。
【図２７】図２７は底部表面を描いている後方サイドパネルの斜視図である。
【図２８】図２８は発明の実施形態に係るカートリッジに使用されるアイリス空気流コントロールバルブの上部図である。
【図２９】図２９は発明の実施形態に係るカートリッジに使用されるアイリスバルブの側面図である。
【図３０ａ】図３０ａは閉鎖位置における発明の実施形態に係るカートリッジに使用されるアイリスバルブの斜視図である。
【図３０ｂ】図３０ｂは部分開放位置における発明の実施形態に係るカートリッジに使用されるアイリスバルブの斜視図である。
【図３０ｃ】図３０ｃ完全開放位置における発明の実施形態に係るカートリッジに使用されるアイリスバルブの斜視図である。
【図３１】図３１は部分的に開放されたバルブを有するカートリッジ組立体の高さにおけるサイド断片図である。
【図３２】図３２は完全に開放されたバルブを有するカートリッジ組立体の高さにおけるサイド断片図である。
【図３３】図３３はカートリッジ組立体の高さにおけるサイド断面断片図である。
【図３４Ａ】図３４Ａは発明の実施形態に係るカートリッジのサイド断面断片図である。
【図３４Ｂ】図３４Ｂは発明のさらなる実施形態に係るカートリッジのサイド断面断片図である。
【図３５】図３５は発明の実施形態に係るカートリッジの部分斜視図である。
【図３６】図３６はブロック部材によって妨げられている中央チャネルを描いている発明の実施形態に係るカートリッジの部分斜視図である。
【図３７】図３７は調整可能なシャッタによって部分的に妨げられ、かつデバイスを通る空気の流れを模式的に描いている中央チャネルを有する発明のさらなる実施形態に係るカートリッジの部分斜視図である。
【図３８】図３８はデバイスを通る空気の流れを模式的に描いている図３６に描かれた発明の実施形態に係るカートリッジの部分斜視図である。
【図３９】図３９はデバイスを通る空気の流れを模式的に描いている部分的な開放位置の中のアイリスバルブを有する発明のさらなる実施形態に係る代替のカートリッジの部分斜視図である。
【図４０】図４０は完全な開放位置の中で、かつデバイスを通る空気の流れを模式的に描いているアイリスバルブを有する図３９に描かれた実施形態に係るカートリッジの部分斜視図である。
【図４１】図４１はサイドパネル部材、およびデバイスを通る空気の流れを模式的に描いているサーバの断片前面斜視図である。
【図４２】図４２はサイドパネル部材、およびデバイスを通る空気の流れを模式的に描いているサーバの断片後面斜視図である。
【図４３】図４３は一連の円形通路を有する発明のさらなる実施形態に係るカートリッジの部分斜視図である。
【図４３Ａ】図４３Ａは上部シール部材のない、図４３に描かれたカートリッジの実施形態の側面断面図である。
【図４３Ｂ】図４３Ｂは前方パネル、カートリッジレール、および要素を通る空気流の方向を示すサーバの断面図である。
【図４３Ｃ】図４３Ｃは前方パネル、カートリッジ、レール、および発明のさらなる実施形態に係る要素を通る空気流の方向を示すサーバの断面図である。
【図４３Ｄ】図４３Ｄは後方パネル、カートリッジ、レール、および発明の実施形態に係る要素を通る空気流の方向を示すサーバの断面図である。
【図４４】図４４は塞がれ通路を有する４３の実施形態に係るカートリッジの部分斜視図である。
【図４５】図４５は複数の異なるカートリッジを描いている前方サイドパネルの断片斜視図である。
【図４６】図４６は複数の異なるカートリッジを描いている前方サイドパネルの斜視図である。
【図４７】図４７は複数の異なるカートリッジを描いている代替の実施形態における前方サイドパネルの斜視図である。
【図４８】図４８は全ての通路のない複数の異なるカートリッジを描いている前方サイドパネルの斜視図である。
【図４９】図４９はサーバの完全な補足物を有する発明に係るラックの実施形態の斜視図である。
【図５０】図５０は発明のラックの実施形態の斜視図であり、外部パネルを描いている。
【図５１】図５１はコントローラおよび外部パネルを描いている発明の実施形態の斜視図である。
【図５２】図５２は空気流システムの図式表現を有する、空気調節装置および空気ポンプシステムを有する発明の実施形態の断片上部斜視図である。
【図５３】図５３は空気調節装置および空気ポンプシステムを有する、空気流システムの図式表現を有する発明の実施形態の断片下部斜視図である。
【図５４】図５４は発明の実施形態の断片フロント斜視図であり、空気はサイドパネルカートリッジからサーバのフロントに可撓性ホースを使用して送られる。
【図５５】図５５は図５４に描かれた実施形態の上部図である。
【図５６】図５６は発明の実施形態の断片フロント斜視図であり、空気はサイドパネルカートリッジからサーバの上部の開口に可撓性ホースを使用して送られる。
【図５７】図５７は図５４に描かれた実施形態の上部図である。
【図５８】図５８は発明の実施形態の断片フロント斜視図であり、空気はサーバの後方からリアカートリッジに可撓性ホースを使用して送られる。
【図５９】図５９は図５８に描かれた実施形態の上部図である。
【図６０】図６０はシングルラックユニットおよび代替の空気流配列に２つのサーバを使用するさらなる実施形態の斜視図である。
【図６１】図６１は先行技術に係る複数のブレードサーバの斜視図である。
【図６２】図６２は先行技術に係るブレードサーバの代替配置の斜視図である。
【図６３】図６３は発明の実施形態に係るいくつかのブレードサーバを含むシャシーのフロント断片斜視図である。
【図６４】図６４は複数列のいくつかのブレードサーバを含むシャシーのフロント断片斜視図である。
【図６５】図６５は発明の実施形態に係るいくつかのブレードサーバを含むシャシーのフロント断片図である。
【図６６】図６６は発明の実施形態に係る複数列のいくつかのブレードサーバを含むシャシーのフロント断片斜視図である。
【図６７】図６７はデータセンタに関連して従い使用されるシステムの概略図である。
【発明を実施するための形態】
【００２４】
添付の図面を含む上記記載は、一例として示されており、および発明に関して制限して解釈されない。ここで、図１を参照すると、先行技術のラックシステムが直立部材およびサイド部材を含むように描かれており、複数のサーバを受容するように構成されている。本願明細書で使用されるように、通路は開口を示し、および空気通路とも称され得る。
【００２５】
図２Ａおよび図２Ｂは、発明２００の実施形態の態様を描いており、前方サイドパネル２０４および２０２、および後方サイドパネル２０１および２０３を含んでいる。図２Ｂに最もよく見られるように、サイドパネルは、それらの内側サイドにそれぞれ空隙２１０および２１２を有している。反対のサイドパネルは、リア部材またはリアパネル、またはデバイスの対向する側壁をつなぐ他の横断部材によって一緒に取り付けられ得る。
【００２６】
ここで、図３を参照すると、発明の実施形態のさらなる特徴が、サーバ３０５に取り付けられるように構成されたレール部材３０７の使用を含んでいる。サーバの反対のサイド上はレール３０９であり、レール３０９は、サーバ３０５の横側壁３１２上に位置される通路３１０および３２０のような隣接通路に相当する通路３１５および３２２を含んでいる。図４ａは、一方のサイド上の留め金具４１０、４１１および４１２、および反対サイド上の４１４、４１５および４１６を使用して、レール３０７および３０９がサーバ３０５にどのようかみ合わされるかを示している発明の上部図である。図４ｂは、サーバ３０５に取り付けられたレール３０７、３０９を描いている。
【００２７】
図５は、横パネル５０５に固定される複数のレール３０７、３０８、および３０９を示している。これらのレールは、サーバ３０５とかみ合わされるように構成されている。図６は、サイドパネル５０５を描いており、サーバ３０５が上部レールでパネルとかみ合っている。
【００２８】
図７は、ラック組立体構成要素の組立体の分解図を描いており、サイドパネル５０５、レール３０７（サーバ３０５の左側）および３０９（サーバ３０５の右側）、および反対のサイドパネル７０２を含んでいる。
【００２９】
図８は、パネル５０５および７０２の間のサーバ３０５を保持している発明の実施形態である。サーバ３０５は、サイドパネル部分５０５および７０２に貼り付けられたレール３０７、５０８および３０９に沿ってスライドする。
【００３０】
図９は、発明の実施形態において、パネル５０５および７０２に取り付けられ、対向するレール３０７および３０９に沿ってフロントからラックシステムの中に、サーバ３０５がどのようにスライドするかを描いている。
【００３１】
図１０は、横サイドパネル１００２中の空気通路１０１０、１０１１、１０１５および１０２０の記載を含む組立体１０００を描いている。この実施形態において、カートリッジ１０２８および１０２５および１０３０のようなサイドパネルに設けられた複数のカートリッジがある。サーバ１００５は、対向するレール１００７、１００９に沿って示された方向に、サーバをスライドすることによって組立体に受容される。
【００３２】
図１１は、ラックの発明を描いており、所定の位置において、レール１００７、１００９とかみ合うサーバ１１０５を含んでいる。パネルは、パネル１１０２に取り付けられ、かつ連結された、一連のカートリッジ１０２８、１０２５を描いており、カートリッジはパネル１１０２からサーバ１１０５に空気の流れを制御するように設計されている。
【００３３】
図１２は、発明のラックを通る空気流を示している。空気流は、上部および底部表面に提供される、通路１２２０、１２２１、１２３０、１２３４を通り、左および右サイドパネル１２１０、１２１５に入り、およびパネルのフロントから、カートリッジを通り、サイドを通り、およびサーバ１２０５の中を通過する。図１３に最もよく見られるように、サーバ１３０５から空気は、リアパネル部分１２１６、１２１１に戻り、側壁の中の後方かつ出口通路を通過する。空気は、パネルの上部および底部に設けられた貫通通路１２２４、１２２５、１２２７から通過する。
【００３４】
ここで、図１４を参照すると、２部品のレール部材は、空気の流れを許す通路１４５０および１４５１を含むことが描かれており、およびレール部材１４００のフロント、および反対の端部の近くの通路１４６０および１４６１に位置されている。レールの２部品は、互いに沿ってスライドし、従来の引き出しで使用されるように、レールは延びることができる。実施形態において、レールは、ベアリングおよびローラ要素を含み得る。レール１４００の各端部は、レール要素の長さに対して垂直に配向された取り付け部分１４８０および１４８１を有し、および直立部材にかみ合わせる留め金具手段を含んでいる。レールは、サーバとかみ合わされる留め金具要素１４２０、１４２１および１４２２を含んでいる。レール１４００の上部図である、図１５は、留め金具部材１４２０、１４２１、および１４２２を描いている。図１６に見られるように、通路１４５０、１４５１、１４６０および１４６１は、レールを通る空気の流れを許す。図１７は、レール１４００を描いており、通路１４５０、１４５１、１４６０および１４６１は、レールを通る空気の流れを許し、部分１４８１から完全に延びる前方部材を有する。
【００３５】
図１８は、フロント中空直立部材１８２５およびリア直立部材１８５０を含み、フレームパネル１８２８である、パネル１８００を描いている。パネル１８００は、パネル部材の中に空気流を許す通路１８３０を含んでいる。パネルの内側表面に沿うものは、カートリッジ部材を受容するように設計されている一連の電気コンタクトピン１８４０である。図１９はパネル１８００を描いており、パネルの中に空気の流れを許す、通路１９１０、１９１１、１９１３および１９１４のような一連の通路を含む、底部表面１９０５を示している。実施形態において、パネルの内部水平表面１９８０は、カートリッジの反対の表面にかみ合わされ得、および空気密封シールを確立し得る、表面上にエラストマー材料で提供される。垂直表面１９４０は、カートリッジ部材と電気連結を確立し得る一連のコンタクトピン１９４５を有している。表面１９８０のように、実施形態において、表面１９４０のパネルは、カートリッジの反対の表面をかみ合わされ得、および空気密封シールを確立し得る、表面上のエラストマーの材料で提供される。
【００３６】
図２０は、パネル部材２１００の上部図であり、上部表面２１５０を通る開口２１４０、２１４２および２１４３を示している。開口は、パネル部材の部分に空気の流れのための入口を提供する。拡張２１８０は、パネル２１００から突き出ており、およびパネルをラックに固定するための載置領域を提供する。
【００３７】
図２１および図２２は、パネル２１００の上部断面図であり、カートリッジ２１６４がパネル２１００にどのように受容されるかを示している。これに関して、カートリッジ２１６４は、横パネルに位置される直立部材２１６８および２１６９にかみ合わされるピン２１６５および２１６６によって、所定の場所に保持される。組立体はカートリッジの後ろに穴２１５９を与える。図２２は、サイドパネル部材２１００とカートリッジ２１６４のかみ合いの上部断面図を描いている。
【００３８】
図２４は、一連の異なるカートリッジ２４１０、２４１２、２４１４および２４１６の側面図を含んでおり、一連の異なるカートリッジ２４１０、２４１２、２４１４および２４１６は、異なる位置にある、それらの各々の横サイドを通る通路を有している。カートリッジは、ラックシステムで使用され得る異なるサーバを補足するように設計されている。カートリッジ２４１６は、サイドパネル部材２４００とかみ合っているように描かれている。それは、パネル２４００のサイド部の中の空隙２４７５を通るルートで送られる制御ワイヤ２４５０によって中央バス２４５５と電気接続にある。サイドパネル内の空隙２４７５は、プレート２４２０、またはプレート２４２５によって覆われる。載置穴２４８５も示されており、所定の位置にクォータパネル２４００を保持する。図２３は、部材２４８２のフロント図であり、およびレール部材の取り付けのため設けられた２４８２の表面に沿う穴２３０２を描いている。フランジ部分２４８０は、ラックシステムのための支持フレームに取り付けのために設けられる。
【００３９】
図２５は、カートリッジ２５１０、２５１１、２５１２および２５１３のような複数のカートリッジを含んでいる代表的なパネルの側面図を描いている。加えて、図２５は、２４８２または２４８０にカバープレートの代替配置を描いている。
【００４０】
図２６は、発明のラックシステムで使用されるように設計された後方サイドパネル２６００を描いている。フロントパネルのように、後方パネルは、パネル２６００の上部表面２６０５を通る、一連の垂直通路２６２０、２６２１、２６２２および２６２３を含んでいる。通路は、直立部材２６３０および２６３１、および水平部材２６３５および２６３６、およびリアフラット部分２６１８によって画定される凹領域２６０８で終わる。パネル２６００は、フランジ部材２６７５を使用するラックのための支持フレームに取り付けられる。リアの部分に、直立柱部材２６５０がパネルのための追加の構造支持を提供する。図２７に示されるように、パネル２７００も通路２６２０のような下側部材２６３５を通る通路を含んでいる。一連のコネクタピン２６１５は、カートリッジにかみ合うための直立部材２６３１に設けられる。
【００４１】
ここで、図２８−３０を参照すると、代表的なアイリス制御バルブが示されている。バルブは、環状リング２８０２によって保持される異なるサイズの開口を画定するように開放および閉鎖され得る、移動可能なパネル２８０４を含んでいる。
【００４２】
図３１は、コントロールスイッチ１３０１を含むカートリッジ組立体３１００を描いており、コントロールスイッチ１３０１は、ピン部材をパネルの中に、またはパネルの外にスライドするように使用され得、所定の場所の中にカートリッジをロックする。実施形態において、コントロールバルブは、バルブ１３４０、１３４１、１３４２および１３４３を選択的に開放または閉鎖するように手動で操作される。さらなる考えられる実施形態において、バルブは、通路を覆うスライド平面状シートを使用して開放および閉鎖され得る。またさらなる実施形態において、カートリッジは、延ばされたねじ状ロッドに取り付けられたパネルの上部のハンドルを回転させることによって制御され得る、電動化スクリューギアを使用し得、およびロッドの回転運動は直線運動に変えられる。またさらなる実施形態において、カートリッジは、連結ロッドによってアイリスバルブセレクタアームに連結される得るサーボモータを使用し得る。実施形態において、カートリッジの端部上には、前方または後方パネル部材の横内部サイド表面とかみ合わされるように設計されるピン１３１０のようなスプリング付勢コネクトピンがある。
【００４３】
図３２は、図３１のカートリッジ組立体を示しており、完全に開放されたバルブ１３４０、１３４１、１３４２、１３４３で示され、かつセンサ１３１９も示している。
【００４４】
図３３に見られるように、センサ１３１９は、隣接サーバの存在を検出するように設計されている。実施形態において、センサは、赤外光１３２０および光検出器１３６５を含んでおり、光は、検出され得るサーバに設けられた反射表面から反射される。サーバが検出器の反対に存在するとき、赤外光はサーバ上の表面で反射され、および光検出器に突き当たる。それから、光検出器１３６５は、コントローラ１３４８にワイヤ１３７１によって信号を送り、コントローラ１３４８は、サーバの反対のカートリッジ上のバルブ１３４０、１３４１、１３４２、１３４３のようなバルブを開放し、および空気が流れることができるように順番に信号を提供し得る。パワーピン１３１０も示される。
【００４５】
またさらなる考えられる実施形態において、センサは、サーバ構成要素の内部温度に関する情報を含む信号のような、サーバによって送られるサーバと通信し得る。この信号は、コントローラに送られ、およびサーバラックと関連するプロセッサにさらに関連し得る。サーバラックプロセッサは、種々のサーバからデータ、およびカートリッジに関連するバルブの状態を受け取った。後述するように、プロセッサは、遠隔監視および管理者による制御を許すディスプレイ、および各々のサーバの状態に関する情報を提供する警報を含み得る、リモートコンピュータと通信するように構成され得る。そのような通信は、イーサーネット接続、ＵＳＢ接続、他のケーブル配線、または無線技術を使用することを用いることができる。
【００４６】
図３３に最もよく見られるように、ピン１３１０は、電力をもたらし得、および外部ソースからの信号を制御し得る、コントローラ１３４８にも接続される。コンタクト部材１３４０は、ピン１３１０からカートリッジ３３００の反対の端部上にある。コンタクト部材１３４０は、それの隣接サイドパネルとかみ合わされ、電源回路を完成させる。サイド表面および上部内部表面に沿うコンタクト表面は、エラストマーの材料で成り立っており、および、カートリッジがパネルとかみ合わされた位置にあるとき、空気密閉シールは確立され、カートリッジの後ろのパネル内に形成された空隙は加圧され得る。
【００４７】
コントローラ１３４８は、バルブ１３４０、１３４１、１３４２および１３４３に取り付けられる。実施形態において、センサ１３１９は、赤外光源および光検出器を含み、およびサーバの反対のサーバの不在の存在を制御された反射に信号を送ることになる。サーバが存在するならバルブは開放される。サーバがセンサの反対に検出されないならバルブは閉鎖されたままになる。
【００４８】
ここで、図３４Ａを参照すると、カートリッジ３３００は、対向するサイド部材２１６８および２１６９を示し、ピン１３１０および１３１１（雌雄形係止）によってカートリッジに載置される。
【００４９】
図３４Ｂは、さらなる実施形態を描いており、カートリッジ３３００は、消火のために使用され得る圧力下の不活性ガスを含むリザーバ３４１２（縮尺で示されていない）を含んでいる。リザーバ３４１２は、管状の通路３４１３によってバルブ３４１４に接続されている。バルブ３４１４は、カートリッジ３４００を通る通路の１つの中への不活性ガスの調節を制御する。バルブ３４１４は、コントローラ３４０１によって制御され、および実施形態において、中央コントローラと通信する温度制御センサは、温度を表す信号を送り得る。サーバ内の温度が急激に増加するとき、中央コントローラは、ワイヤ３４１５を越えてローカルコントローラ３４０１に信号を送るようにプログラムされており、それにより起こりうる火災を跳ね返す。
【００５０】
図３５は、部分的に開放された位置におけるバルブ３５０５、３５１１、３５１２および３５１３を含む代表的なカートリッジを通る空気の流れを描いている。図３６に示すように、代替のカートリッジ３６００の実施形態は、カートリッジを通る空気流をブロックするように機能する取り外し可能な挿入物３６１０を受容している空隙３６０８を描いている。図３７およびカートリッジ３７００に示された、さらなる実施形態において、移動可能なフラップ３７０９は、空気の流れを調節するように設けられる。描かれるように、シャッタ３７０９は、ピボット運動のために載置され、およびギャップ３７０７を通る流れだけを許す。実施形態において、シャッタは３７０９であり、シャッタの位置を徐々に調節し得、および開口のサイズを相当するように徐々に調節し得る、ステッパモータを使用して徐々に開かれる。他の実施形態において、シャッタは手動で調整され得る。このカートリッジ設計は、横側壁（示されていない）上の相当する長方形の通路を有するサーバで使用され得ることが考えられる。図３８を参照すると、シャッタ３７０９は、完全に開放された位置で描かれており、およびギャップまたは開口は空間３８０９によって画定される。この位置において、カートリッジを通る空気の流れは最大化される。
【００５１】
図３９は、部分開放位置における一連のバルブ３９１０、３９１１，３９１２および３９１３を有するカートリッジ３９００の断片図を示しており、およびバルブを通る空気流の方向を描いている。図４０は、完全開放位置におけるバルブ３９１０、３９１１、３９１２および３９１３を描いており、空気の流れが増加している。
【００５２】
図４１は、ラックシステムおよびサーバのフロント部分の断面図であり、下側および上側方向の両方からパネル４１００の受容空隙部分４１０５の中にまず流れる空気を描いている。空気は通路４１２０の中に流れ、レール部分（示されない）を通り、およびサーバ４１５０の中に流れる。示されている別の流路は、パネル空隙４１０５から、カートリッジ４１０９を通り提供される通路４１２５を通り進む。サーバ４１５０および４１５１のフロントに導入された空気は、サーバ内の構成要素を冷却し、および後方に流れる。図４２に示されるように、空気は、サーバ４１５０のフロントから、カートリッジ４１８５を通り、およびパネル空洞部分４２０５の中に提供される、通路４１９５を通過して流れる。リア空洞４２０５から、空気は、後方サイドパネル部分の上部および下部の中の通路に上向き、または下向きのいずれかで流れる。
【００５３】
図４３は、開放位置で描かれた複数の通路４３１０、４３１１、４３１２および４３１３を有するカートリッジ部材４３００の実施形態を描いている。この実施形態において、カートリッジ部材４３００の上部表面に沿って設けられた溝４３２５に受容されたシール部材４３７０がある。シール部材４３７０は、隣接カートリッジの下部表面、またはパネルの上部水平部材にかみ合わされるように設計され、および空気密閉シールを形成する。シール部材４３７０は、部材４３８０と機械的連結によって上昇および下降され得る。部材４３８０が引っ込まされた位置にあるとき、ピン４３８１および４３８２は下降されるシール４３７０と共に引っ込められることになる。部材４３８０がかみ合わされた位置にあるとき、ピン４３８１および４３８２は前方に移動し、およびシール４３７０が上昇された位置にあるようになる。カートリッジの下部は、カートリッジ４３００の下に配置されるカートリッジの上部を受容し得る、下側溝４３３０を設けられる。この実施形態において、フラットブロック部材４３３０は、部材４３４５のかみ合いによって制御され得る、カートリッジ４３００内に設けられ、通路をブロックし、かつ、それによってカートリッジを通る空気の流れを妨げる部材を横にスライドする。この実施形態において、ピン４３８１およびピン４３８２は、スプリング付勢されており、および横位置に制御レバー４３８０をスライドすることによって収納され得る。レバーの解放で、ピンは、スライドパネル部材に設けられた開口の反対に受容され得、所定の場所にカートリッジを保持する。図４３Ａにおいて、ブロック部材４３３０は、カートリッジ４３００の内部上部表面４３７０および下部内部表面４３７２に設けられ、および溝内で運動ができるようにかみ合わされた、対向する溝４３５１および４３５２内に保持されることが描かれている。
【００５４】
図４３Ｂは、空気がカートリッジ４１１０のリアの中に流れるところの穴領域を画定する平面状シート部材４１０５を含む組立体の断面図を描いている。カートリッジは、隣接カートリッジとシールを形成することを助けるように設けられた、弾力性材料で構成された上部シール部材４３７０を含んでいる。空気の流れは、空気をサーバ４１５０に流れることを許す通路を開放および閉鎖するようにスライドすることになる、部材４３５１によって妨げられる。レール部材は、カートリッジ４１１０からサーバ４１５０に空気が流れることを許す通路で提供された２部品部材３０７および３０８として描かれている。
【００５５】
図４３Ｃは、さらなる実施形態を描いており、環状シールリング部材４３９８を含む４３Ｂから続いている。この実施形態において、環状布のシュラウドは、空気通路の接合点に設けられた、環状リング４３９９から軸方に延びることになり、および空気流れに応じて、シュラウド４３９９は、構成要素の間の接合点をシールするように径方向に配置される。たとえば、空気が流れるとき、シュラウドは、カートリッジ、レール、およびサーバの間のギャップを満たす。
【００５６】
図４３Ｄは、４３Ｃおよび４３Ｂから続いており、サーバ４１５０からリアパネルへの空気の流れを概略的に描いている。図４３Ｃに描かれる実施形態のように、実施形態は、空気の流れに応じて、サーバ４１５０、レール部材３０７および３０８、およびカートリッジ４１６２の間の界面を通る空気損失を最小にするように配置される、環状シール部材４３８８およびシュラウド部材４３８９を含んでいる。
【００５７】
図４４は、部材４３８０の収納位置および４３４５の閉鎖位置におけるカートリッジ４３００を描いており、ブロック部材４３３０は、通路４３１０、４３１１、４３１２および４３１３を閉鎖するように動き、およびピン４３８１および４３８２は収納位置に描かれる。実施形態において、シールは、シール部材４３７０のようなシール部材を代替的に下降および上昇させる、カム部材の回転によって機械的に持ち上げられる。また代替的な実施形態において、弾力性部材は、スプリング付勢され、および組立体に下向きに配置され得る。またさらなる実施形態において、機械的スイッチは、Ｌ形状開口を通りアクセスできるスイッチ延長の横移動によって弾力性部材を持ち上げ、および機械的にロックすることを提供する。図４５は、サイドパネル組立体４５００を示しており、直立部材４５２１および直立部材４５２０をつなぐ、カートリッジ４５５０および４５５１のような複数のカートリッジを含んでいる。カートリッジのリア表面は、パネルの内部空隙のフロント表面を画定する。直立部材４５２１に隣接して、デバイスのサーバおよびレールを支持するように設けられた直立フロント柱部材４５７５がある。
【００５８】
図４６は、完全に組み立てられた前方パネルを描いており、サイドパネル組立体４５００、直立フロント柱部材４５４７、部分、および４５５８、４５５９、４５６０のようなカートリッジを含んでいる。図４７は、バルブおよび通路のない、いくつかのカートリッジ４８４０を含む、代替的な組立体を描いている。図４８は、代替的な組立体をさらに描いており、選択されたカートリッジ４８４０はバルブおよび通路を含んでいない。したがって、図４７および図４８は、カートリッジ４７５０、４７３０、４７１０の代替的配置を示しており、および発明で使用され得る空のカートリッジ４７２０を含んでいる。図４７に最もよく見られるように、カートリッジは、異なる上下方向寸法を有し得、サーバの上下方向寸法に従う。さらに、実施形態において、カートリッジは、アイリスバルブおよび通路の異なる横配置を有し得、異なるサーバおよびネットワーク機器の必要性に従う。
【００５９】
図４９は、クォータパネル４９５０、４９５１、４９５２、４９５３内に載置されたシングルラックユニットサーバ４９０５の完全補足物を有するサーバ組立体４９００を描いている。
【００６０】
図５０に示されるように、サーバラック組立体およびサーバは、サイド外部パネル５００５および５００６、上部外部パネル５０２５、および下部外部パネル５００８を含む、キャビネット５０００に任意に取り囲まれる。クォータパネル５０１０、５０１１、５０１２、５０１３は、中間のフレームに取り付けられ、完全に支持される。全体のラックは、脚５０２０、５０２１、５０２２よって、または代替的にキャスタ上に、支持表面から持ち上げられる。上部パネルは、外部パネル内に含まれる、前方パネル５０１２および後方パネル５０１０に空気を流れることを許す通路に設けられる。描かれていない、追加の通路は、電力、ネットワークケーブル、および他のケーブル配線のため５００８および５０２５に加えられ得る。
【００６１】
ここで、図５１を参照すると、組立てられたラックシステム５１００は、サーバ５１７０を保持する、サイド前方パネル、および後方サイドパネルを覆う外部サイドカバー５００８および５００９を含んでいる。
【００６２】
実施形態において、全ラックを閉鎖およびロックするように使用され得るように設けられたフロントおよびリアドアがある。さらなる実施形態において、使用されるパネルは絶縁される。再び図５１を参照すると、デバイスの上部は、前方横サイドパネルと連絡する、フロント上部通路（取り込み口）５１２１および５１３０（排気通路５１２５および５１３５も示されている）を含んでいる。入口通路５１２１および５１３０のそばに、圧力解放バルブ５１２８および５１３１がある。システム内の圧力が所定圧力を超えるとき、バルブは大気に空気を解放することになり、およびシステムの構成要素の損傷を抑制することになる。同様の圧力解放バルブ５１３８および５１４２がリアパネルに位置されている。パネル上部上にワイヤ５１４０を介してカートリッジと通信するコントローラ５１５０がある。
【００６３】
ラックデバイス５２００の上部図は、導管５２２０および５２２３を通る前方パネル内の上部入口通路に冷却空気を供給する空気調節装置を含んでいることを図５２に描かれている。空気がサーバを通過した後、空気は、後方パネルに流れ、および上部通路５２８２および５２８５を通り退出し得る。パネルに存在する空気は、それから、排気システム内に負圧を維持するポンプ５２２９に導管５２２８を通り向けられ、および前方パネルから、サーバを通り、および後方パネルに出るように空気を移動させる。ポンプからの空気は、システムを通り再循環のため通路（示されない）を通り空気調節装置に返送され得る。コントローラ５０５０（図５１から５１５０に一致する）も示される。
【００６４】
図５３に示されるように、ラックシステム５３００の下部表面５３１０は、空気調節装置５３４０から、導管５３２５から、冷却空気を受け取る。空気は、導管５３２９および５３３０を通りシステムから発散される。ポンプ５３４５は、排気空気流システムに負圧を与えかつ維持することを提供し、および空気調節装置に通路（示されていない）を通り戻る空気を動かす。
【００６５】
実施形態において、システムは、サーバの温度、またはサーバのグループに応じて、流れのパラメータを調節し得る、コントローラおよびサーボモータを含んでいる。さらなる実施形態において、システムは、サーバ、バルブコントローラ、空気調節装置、ヒートポンプ、および、遠隔中央監視およびローカル制御と通信のためのイーサーネット通信ポートを有する小さい回路ボードを含む制御ボードを含んでいる。
【００６６】
ここで、図５４を参照すると、さらなる実施形態５４００において、空気は、カートリッジ部材５４１０からサーバ５４１５のフロントパネル５４１２に設けられた開口に向けられ、可撓性管状部材５４２０、５４２１および５４２２を使用する。描写は、本願明細書に記載されたカートリッジを受容するパネル５４２８および５４２９を含んでおり、図５５は図５４において上記したシステム５４００の上部図を描いており、およびサーバ５４１７のフロント縁部より延びて描かれている可撓性管５４２０、５４２１および５４２２を含んでいる。
【００６７】
図５６に描かれる発明の別の実施形態において、空気は、可撓性管状部材５６２０、５６２１および５６２２を通るカートリッジ部材５６０２から、サーバ５６１５の上部の開口に流通される。この実施形態において、サーバ５６１５は、サーバラック５６００の距離の半分だけ延びている。クォータパネル５６２８、５６２９およびレール５６２５も示されている。図５６に描かれた実施形態の上部図である、図５７は、横パネル５６２７から、サーバ５６１５の上部に延びる導管を示している。ここで、図５８を参照すると、発明のさらなる態様が描かれており、空気は、リアパネル５９０８の中のカートリッジ５９３０に可撓性ホースまたは管状部材を使用してサーバ５９０５のリアから取り除かれるか、または発散される。図５９に見られるように、空気は、管状部材５９１７、５９１６および５９１５を使用して、サーバ５９０５からリアパネル部分５９０８に向けられる。
【００６８】
図６０は、発明のさらなる実施形態における、代替の空気の流れ配置６０００の図式表現を描いている。この実施形態において、サーバ６０１１および６０１２は、フロントサイドパネル６００５およびリアサイドパネル６００６に順々に取り付けられる、同じ垂直位置に取り付けられる。従来のラック載置ハードウェアを使用して、フロントサイドパネルの反対６００５およびリアサイドパネルの反対６００６にも取り付けられるサーバ６０１０および６００９も示されている。フロントパネル６００５およびリアパネル６００６に設けられたカートリッジから空気は、サーバ６００９、６０１０、６０１１および６０１２の中へ横に流れ、および開口６０２５、６０７６、６０２７および６０７８のような開口を通り、サーバを退出する。パネル６００５および６００６の反対であり、およびサーバから受け取る、横パネル（示されていない）に設けられたカートリッジ（示されていない）上のサーバおよび通路の反対のサイド上に開口はあり、パネルの外の空気を流通する。
【００６９】
図６１は、先行技術のブレードサーバシステム６１００の描写であり、複数のサーバブレード６１２１、６１２２、６１２３、６１２４、６１２５、６１２６、６１２７および６１２８が垂直方向に配向され、かつ外部ハウジング６１１０に包まれている。外部ハウジング６１１０はサーバラックに受け取られるように設計されている。図６２は、さらなる代替を描いており、外部ハウジング６１２０は、６２２１および６２２２のような複数のサーバを取り囲んでいる。ブレードサーバシステム６２００は、垂直に配向されたサーバの２列を含んでいる。図６３は、垂直配向されたブレードシステムに、冷却空気を提供するように構成され、および垂直配向されたブレードシステムから空気を取り除くように構成された発明の実施形態を描いている。ここで、導管６３２０は、上述したように、発明の実施形態の１つに係るカートリッジに連結され、およびサーバ６３０１の上部表面に設けられた開口に空気を向ける。空気は、中空管状導管６３２８を使用してサーバ６３０１から取り除かれ、中空管状導管６３２８は上記のように後方横パネルに設けられたカートリッジに空気を向ける。したがって、図６３は、サーバデバイス６３００を描いており、各々のサーバ６３０１、６３０２、６３０３、６３０４、６３０７、６３０８、６３０９および６３１０は、サーバに、およびサーバから空気流を提供する。入口導管６３２０−６３２７、および排気導管６３２８−６３３５として示された、これらの導管は、サーバを保持する外部ケース６３４０を通過し、それから空気を横に向ける。
【００７０】
図６４は、さらなる実施形態６４００を描いており、６４２０および６４２１のような中空管状冷却導管がサーバ６４０１および６４０２の中に空気流を提供する。空気は、本願明細書に描かれた実施形態６３００に関して記載されたと同様の方法でサーバから取り除かれる。サーバ６３４２は、ブレードシャーシ配置（垂直配向）で外部ケース６３４０にある。
【００７１】
図６５は、ブレードサーバ配置６５００を描いており、空気は、サーバに連結された、管状導管６５３０、６５３１、６５３２、６５３３、６５３４、６５３５、６５３６および６５３７を通る、それらの下部表面上の開口を通りサーバに流通させられる。空気は、管状導管６５３８、６５３９、６５４０、６５４１、６５４２、６５４３および６５４４を使用してサーバから取り除かれ、および横に向けられ、空気は、本願明細書に記載さるように、横パネルに設けられたカートリッジ部材によって受け取られ得る。図６６に描かれる、さらなる実施形態６６００において、ブレードサーバの列は垂直配列されたサーバの複数の列を含んでいる。空気は、６６３０および６６３１のような管状導管を介して使用して下方の列のサーバに提供される。これらの導管は、デバイス６６００の横サイドから空気流を提供し、およびサーバの下部表面に空気を送る。空気は、同様の導管を使用してサーバから取り除かれ、および横に向けられる。サーバ６５０１は、ケース６３４０および図６６の６６４２内に垂直に配置される。
【００７２】
さらなる実施形態において（示されていない）、ファンが、サーバに空気の流れを助けるために、およびサーバから空気の除去を助けるために、カートリッジに設けられる。また他の実施形態において、ファンは、パネル内に、または、パネルに空気操作、およびパネルから空気操作を提供する導管に沿って、入口開口および排気開口と連結して提供され得る。
【００７３】
図６７は、実施形態の概略図であり、複数のラック６７０５が建築物構造６７０１に配置され、サーバ設備、またはデータセンタを構成する。データセンタは、データセンタに近接して、または遠隔通信であり得る、中央コントローラを含んでいる。システムは、コンプレッサ、コンデンサ要素およびファンのような従来の外部構成要素６７１０、および、ファン、蒸発器コイル、システムで使用される冷却剤のための膨張デバイスを含む内部構成要素６７１１を含む、空気調節装置システムを任意に含んでいる。システムは、ヒートポンプ技術も含み得、ブロワ、膨張デバイス、および外部コイルを含み得る内部構成要素６７２１（示されない）、およびコンプレッサ、チェックバルブ、膨張デバイス、外部コイルおよびファンを含む従来の外部構成要素６７２０を含んでいる。
【００７４】
またさらなる実施形態において、種々のレール部材は、ラックシステムと連結して設けられ、異なるサーバモデルを受容し、レールは、異なる通路を有する異なる設計を有し、異なるサーバに通路を補足する。
【００７５】
しかしながら、実施形態の多数の特性および利点が、実施形態の構造および機能の詳細と共に上記に述べられているが、開示は例示であり、および、変更は、細部において、特に、添付の請求項が表す用語の広い一般的な意味によって示される完全な範囲に本開示の原理内で部品の形状、寸法、および配置の事項においてなされる。
【００７６】
本発明は、それの好適な種類への参照でかなり詳細を記載されているが、他の種類は、当業者にとって容易明らかになるだろう。したがって、添付の請求項の精神と範囲は、本願明細書に含まれる好ましい種類の記載に制限されるべきでない。
【産業上の利用可能性】
【００７７】
本発明は、コンピュータ機器、特に、取り囲まれた空間に閉じ込められ、集められたコンピュータ機器の効率的な冷却を可能とする。演算および記憶を提供することにおいて専門化するサーバファーム、コロケーション設備、および他のデータセンタの電力使用が、利用できる電気のかなりの割合を有効に使用している。この電力使用の多くは、コンピュータ機器を操作することだけでなく、コンピュータ機器を冷却することにも関連される。本発明は、実質の変更を設備に要求しない方法でこの機器を冷却することの有効性において相当の進歩を表し、およびモジュールおよびアップグレード可能な解決を許す。
【図１】
0006716685.tif 000002
【図２ａ】
0006716685.tif 000003
【図２ｂ】
0006716685.tif 000004
【図３】
0006716685.tif 000005
【図４Ａ】
0006716685.tif 000006
【図４Ｂ】
0006716685.tif 000007
【図５】
0006716685.tif 000008
【図６】
0006716685.tif 000009
【図７】
0006716685.tif 000010
【図８】
0006716685.tif 000011
【図９】
0006716685.tif 000012
【図１０】
0006716685.tif 000013
【図１１】
0006716685.tif 000014
【図１２】
0006716685.tif 000015
【図１３】
0006716685.tif 000016
【図１４】
0006716685.tif 000017
【図１５】
0006716685.tif 000018
【図１６】
0006716685.tif 000019
【図１７】
0006716685.tif 000020
【図１８】
0006716685.tif 000021
【図１９】
0006716685.tif 000022
【図２０】
0006716685.tif 000023
【図２１】
0006716685.tif 000024
【図２２】
0006716685.tif 000025
【図２３】
0006716685.tif 000026
【図２４】
0006716685.tif 000027
【図２５】
0006716685.tif 000028
【図２６】
0006716685.tif 000029
【図２７】
0006716685.tif 000030
【図２８】
0006716685.tif 000031
【図２９】
0006716685.tif 000032
【図３０ａ】
0006716685.tif 000033
【図３０ｂ】
0006716685.tif 000034
【図３０ｃ】
0006716685.tif 000035
【図３１】
0006716685.tif 000036
【図３２】
0006716685.tif 000037
【図３３】
0006716685.tif 000038
【図３４Ａ】
0006716685.tif 000039
【図３４Ｂ】
0006716685.tif 000040
【図３５】
0006716685.tif 000041
【図３６】
0006716685.tif 000042
【図３７】
0006716685.tif 000043
【図３８】
0006716685.tif 000044
【図３９】
0006716685.tif 000045
【図４０】
0006716685.tif 000046
【図４１】
0006716685.tif 000047
【図４２】
0006716685.tif 000048
【図４３】
0006716685.tif 000049
【図４３Ａ】
0006716685.tif 000050
【図４３Ｂ】
0006716685.tif 000051
【図４３Ｃ】
0006716685.tif 000052
【図４３Ｄ】
0006716685.tif 000053
【図４４】
0006716685.tif 000054
【図４５】
0006716685.tif 000055
【図４６】
0006716685.tif 000056
【図４７】
0006716685.tif 000057
【図４８】
0006716685.tif 000058
【図４９】
0006716685.tif 000059
【図５０】
0006716685.tif 000060
【図５１】
0006716685.tif 000061
【図５２】
0006716685.tif 000062
【図５３】
0006716685.tif 000063
【図５４】
0006716685.tif 000064
【図５５】
0006716685.tif 000065
【図５６】
0006716685.tif 000066
【図５７】
0006716685.tif 000067
【図５８】
0006716685.tif 000068
【図５９】
0006716685.tif 000069
【図６０】
0006716685.tif 000070
【図６１】
0006716685.tif 000071
【図６２】
0006716685.tif 000072
【図６３】
0006716685.tif 000073
【図６４】
0006716685.tif 000074
【図６５】
0006716685.tif 000075
【図６６】
0006716685.tif 000076
【図６７】
0006716685.tif 000077